(57)【特許請求の範囲】
【請求項１】
縦フレームと奥行きフレームを略額縁状に枠組みした複数の枠組みフレームに横フレームを組み付けた骨組みを備え、前記各枠組みフレームの上端の奥行きフレーム上に天板を載せて構成したキッチンキャビネットにおいて、
前記枠組みフレームには切欠部が形成され、該切欠部に前記横フレームが嵌め込み式に取り付けられるように構成されているとともに、
前記横フレームには、任意の枠組みフレームを移動させて該横フレームに係合することのできる間口寸法変更用の複数の孔を設けたことを特徴とするキッチンキャビネット。
【請求項２】
前記枠組みフレームを構成する後側の後縦フレームの下端は、前側の前縦フレームの下端よりも下方へ突出していることを特徴とする請求項１に記載のキッチンキャビネット。
【発明の詳細な説明】
【技術分野】
【０００１】
本発明は、容易に間口寸法を変更させることができ、後発的に扉，引出し等のサイズ変更が可能となるキッチンキャビネットに関するものである。
【背景技術】
【０００２】
従来、この種のキッチンキャビネットにおいて、例えば特許文献１に開示されているように、横フレームに溝を形成させ、溝に沿って縦フレームを横幅方向にスライドさせることで、レイアウト変更可能としたものがある。
【先行技術文献】
【特許文献】
【０００３】
【特許文献１】特開２００４−２２３００６号公報
【発明の概要】
【発明が解決しようとする課題】
【０００４】
上記特許文献１に開示されている構造では、縦フレームを横フレームの溝に沿って移動させるものであるため、縦フレームの位置決めに工数がかかるという問題点があり、また、縦フレームは奥行き方向のレール取付金具で略Ｈ形状に枠組みされたものであり、縦フレームの上端に載せられる天板（ワークトップ）を縦フレームが点で支持する構造であり、天板が収縮した場合等にＨ形状に枠組みした縦フレームが変形しやすく、縦フレームの精度維持が困難となり易く、そのため、縦フレームは肉厚の大なる強固なもので構成する必要があった。
【課題を解決するための手段】
【０００５】
本発明は、強度と精度が確保された額縁状の枠組みフレームを用いて、容易に間口寸法を変更させることができ、後発的に扉，引出し等のサイズ変更が可能となるキッチンキャビネットの提供を目的とし、この目的の少なくとも一部を達成するために以下の手段を採った。
本発明のキッチンキャビネットは、縦フレームと奥行きフレームを略額縁状に枠組みした複数の枠組みフレームに横フレームを組み付けた骨組みを備え、前記各枠組みフレームの上端の奥行きフレーム上に天板を載せて構成したキッチンキャビネットにおいて、
前記枠組みフレームには切欠部が形成され、該切欠部に前記横フレームが嵌め込み式に取り付けられるように構成されているとともに、
前記横フレームには、任意の枠組みフレームを移動させて該横フレームに係合することのできる間口寸法変更用の複数の孔を設けたことを要旨とする。
【発明の効果】
【０００６】
本発明のキッチンキャビネットでは、横フレームに設けた間口寸法変更用の孔の位置に枠組みフレームを移動させて、枠組みフレームを横フレームに係合させることで、枠組みフレームと別の枠組みフレーム間の間口寸法を容易に変更させ、後発的にキッチンキャビネットの扉，引出し等のサイズ変更を行うことができる。
また、枠組みフレームは縦フレームと奥行きフレームが略額縁状に枠組みされたものであるため、強度と精度が確保されており、天板を各枠組みフレームの上端の奥行きフレームで面で支持することができ、サイズ変更してもキッチンキャビネットの精度が良好に維持される。
【０００７】
また、本発明のキッチンキャビネットにおいて、前記枠組みフレームを構成する後側の後縦フレームの下端は、前側の前縦フレームの下端よりも下方へ突出している構成とすることができる。
こうすれば、枠組みフレームの後縦フレームの下端をキッチンキャビネットの脚として用いることができる。
【図面の簡単な説明】
【０００８】
【図１】横幅の狭い引出しを設けたキッチンキャビネットの斜視構成図である。
【図２】横幅の広い引出しに変更したキッチンキャビネットの斜視構成図である。
【図３】図１に対応したキッチンキャビネットの骨組みを構成するフレーム体の斜視構成図である。
【図４】枠組みフレームを移動させた状態の図２に対応したフレーム体の斜視構成図である。
【図５】フレーム体の構成部材の分解斜視図である。
【図６】図５における横フレームと枠組みフレームの接続部の要部拡大斜視構成図である。
【発明を実施するための形態】
【０００９】
次に、本発明を実施するための形態を実施例を用いて説明する。
キッチンキャビネットは図１の斜視図で示すような構造となっている。
キッチンキャビネット１は、キャビネット本体２の上面に天板３が設けられ、この天板３にはシンク４とコンロ５が設けられ、また、シンク４には水栓６が取り付けられている。
キャビネット本体２の前面には、開閉可能な扉７，７が左右側に設けられており、各扉７，７の奥側に収納空間が形成されている。また、キャビネット本体２の中央部には、二段の引出し８が前方側へ引き出し可能に設けられている。
【００１０】
このようなキッチンキャビネット１において、引出し８を、横幅寸法の広いサイズの大きいものに変更したい場合、即ち、図２に斜視図で示すような幅広の引出し８に変更したい場合に、キャビネット本体２を作り直すことなく容易に幅広の引出し８に変更させることができる。
【００１１】
図３は、キャビネット本体２の骨組みを構成する金属製のフレーム体１１の斜視図であり、図３は、図１のような幅の狭い引出し８が設けられている場合のフレーム体１１の斜視図であり、図４は、図２のような横幅の広い引出し８に変更させた場合のフレーム体１１の斜視図である。なお、図中９は、側板であり、図中１０は、けこみである。このけこみ１０の上端側にキャビネット本体２の底板１４が設けられている。
【００１２】
フレーム体１１は、それぞれ略額縁状に枠組みした４体の枠組みフレーム１２Ａ，１２Ｂ，１２Ｃ，１２Ｄに、横フレーム１３Ａ，１３Ｂ，１３Ｃ，１３Ｄを組み付けて構成されたものであり、各横フレーム１３Ａ，１３Ｂ，１３Ｃ，１３Ｄはビスを用いて各枠組みフレーム１２Ａ，１２Ｂ，１２Ｃ，１２Ｄに組み付けられている。
図５にフレーム体１１の分解斜視図を示すように、各枠組みフレーム１２Ａ，１２Ｂ，１２Ｃ，１２Ｄは、それぞれ、前後一対の縦フレーム１５，１６と、奥行き方向の複数の奥行きフレーム１７，１８，１９，２０を略額縁状に枠組みして形成されている。
【００１３】
枠組みフレーム１２Ｂを例に取って説明すると、前縦フレーム１５の上端と後縦フレーム１６の上端間に上面奥行きフレーム１７が組み付けられ、上面奥行きフレーム１７の下方に平行状に上奥行きフレーム１８が組み付けられている。また、前縦フレーム１５の下端と後縦フレーム１６の間に底面奥行きフレーム２０が組み付けられ、底面奥行きフレーム２０の上方に平行状に下奥行きフレーム１９が組み付けられている。
【００１４】
このように各枠組みフレーム１２Ａ，１２Ｂ，１２Ｃ，１２Ｄの外周は、前縦フレーム１５と上面奥行きフレーム１７と後縦フレーム１６と底面奥行きフレーム２０により略方形額縁状に形成されており、４体の枠組みフレーム１２Ａ，１２Ｂ，１２Ｃ，１２Ｄのそれぞれの上面奥行きフレーム１７上に天板３が載せられて、角パイプで構成された４本の上面奥行きフレーム１７，１７，１７，１７がそれぞれ面で天板３に当接し、４体の枠組みフレーム１２Ａ，１２Ｂ，１２Ｃ，１２Ｄで天板３を支持する構造となっている。
【００１５】
このように各枠組みフレーム１２Ａ，１２Ｂ，１２Ｃ，１２Ｄは略額縁状に枠組みされているため、強度が大であり、荷重により変形等が生ずることがなく、精度が維持されて、がたつき等が全くない精度の良いキッチンキャビネット１が構成されている。
なお、各枠組みフレーム１２Ａ，１２Ｂ，１２Ｃ，１２Ｄは強固な額縁状であるため強度が出やすく、そのため、細い或いは薄肉の前縦フレーム１５，後縦フレーム１６，奥行きフレーム１７，１８，１９，２０で構成することができ、全体を軽量化できるものである。
【００１６】
なお、枠組みフレームの前縦フレーム１５の上端には、前面側が切り欠かれて切り欠き状の上端切欠部１５ａが形成されており、また、上端切欠部１５ａの下方側の前縦フレーム１５の前面には、コの字状に凹ませて切り欠いた係合凹部１５ｂが形成されている。
この枠組みフレームの上端切欠部１５ａに横フレーム１３Ａを嵌め込み状にして取り付けることができ、また、前縦フレーム１５の係合凹部１５ｂには、前面側から断面略コの字状の横フレーム１３Ｂを嵌め込んで取り付けできるものである。なお、図６は、枠組みフレーム１２Ｂの前縦フレーム１５の上端の上端切欠部１５ａに横フレーム１３Ａを組み付けた状態の要部拡大図である。
また、各枠組みフレームの後縦フレーム１６の上端にも、後面側が切り欠かれて上端切欠部１６ａが形成されており、この上端切欠部１６ａに横フレーム１３Ｃを嵌め込み状にして取り付けできる。
【００１７】
なお、本例では、横フレーム１３Ａ，１３Ｂ，１３Ｃ，１３Ｄには、予め例えば１５０ｍｍピッチ間隔で横方向に複数の孔２１，２１，２１が形成されたものとなっている。
この孔２１を通してビスを枠組みフレームの前縦フレーム１５或いは後縦フレーム１６にねじ込み、各横フレーム１３Ａ，１３Ｂ，１３Ｃ，１３Ｄを枠組みフレームに組み付けできるものである。
【００１８】
横幅の広い引出し８に変更させる場合には、図３の状態から、ビスをゆるめて横フレーム１３Ａ，１３Ｂ，１３Ｃ，１３Ｄから枠組みフレーム１２Ｂを外し、幅広の引出し８の間口寸法に対応する寸法分、枠組みフレーム１２Ｂを横方向、即ち枠組みフレーム１２Ａの方向に移動させ、横フレーム１３Ａ，１３Ｂ，１３Ｃ，１３Ｄに形成されている孔２１の位置に整合させて枠組みフレーム１２Ｂを位置決めし、この位置で、孔２１内にビスを挿通させて、ビスを前縦フレーム１５および後縦フレーム１６に締め付け、枠組みフレーム１２Ｂを図４のように変更位置に固定することができる。これにより、枠組みフレーム１２Ｂと枠組みフレーム１２Ｃ間の間口寸法は、狭い間口寸法から広い間口寸法に変更されたこととなり、良好に図２のように横幅の広い引出し８に変更させることができるものである。
なお、この場合は、図示左側の扉７は逆に横幅の狭いものに変更される。
なお、横幅の広い引出し８に変更させる場合の他、枠組みフレーム１２Ｂを移動させて、枠組みフレーム１２Ｂと枠組みフレーム１２Ｃ間に食器洗い機などを後発的に組み込むことも可能である。
【００１９】
なお、本例では、枠組みフレーム１２Ｂを移動させる場合を例示しているが、枠組みフレーム１２Ｃを移動させることも容易であり、適宜移動させて、その位置の孔２１に整合させて位置決めした後に組み付けることができ、容易に扉７や引出し８のサイズの変更が可能である。しかも、このような間口寸法を変更させる作業を行っても、各枠組みフレーム１２Ａ，１２Ｂ，１２Ｃ，１２Ｄは略額縁状に強固に枠組みされたものであるため、変形等が生ずることがなく、良好な精度を維持してキッチンキャビネット１のレイアウトの変更が可能となり、変更作業も容易に短時間で行えるものである。
【符号の説明】
【００２０】
１  キッチンキャビネット
２  キャビネット本体
３  天板
４  シンク
５  コンロ
７  扉
８  引出し
１１  フレーム体
１２Ａ，１２Ｂ，１２Ｃ，１２Ｄ  枠組みフレーム
１３Ａ，１３Ｂ，１３Ｃ，１３Ｄ  横フレーム
１５  前縦フレーム
１６  後縦フレーム
１７  上面奥行きフレーム
１８  上奥行きフレーム
１９  下奥行きフレーム
２０  底面奥行きフレーム
２１  孔
【図１】
0005578843.tif 000002
【図２】
0005578843.tif 000003
【図３】
0005578843.tif 000004
【図４】
0005578843.tif 000005
【図５】
0005578843.tif 000006
【図６】
0005578843.tif 000007